(57)【特許請求の範囲】
【請求項１】
ヒンジ式蓋付きパッケージを製造するための包装方法であって、前記包装方法は、
パッケージ（１）の内容物（３）を、第１包装コンベヤ（６０）の第１ポケット（６２）内に供給するステップと、
前記パッケージ（１）の前記内容物（３）を、第１転送ステーション（６７）において前記第１包装コンベヤ（６０）の前記第１ポケット（６２）から、第２包装コンベヤ（６９）の第２ポケット（６８）に転送するステップと、
第１ブランク（３３）を、第１供給装置（７１）により前記第２ポケット（６８）に供給するステップと、
前記第１ブランク（３３）を、前記第２ポケット（６８）において、前記パケット（１）の前記内容物（３）の周りで折り畳んで蓋（１０）付き容器（２）を形成するステップを備え、
前記包装方法は更に、
挿入物（２１）を形成する第２ブランク（３９）を、前記第１転送ステーション（６７）の上流に位置する第２供給装置（６４）により、前記第１ポケット（６２）に供給するステップと、
硬質対象物（１９）を、前記第２供給装置（６４）の下流であって、前記第１転送ステーション（６７）の上流に位置する第３供給装置（６６）により、前記第１ポケット（６２）内に、前記対象物（１９）を前記挿入物（２１）内に挿入して、前記対象物（１９）を前記挿入物（２１）に結合するように供給するステップと、
少なくとも１つの物品（２０）を、前記第３供給装置（６６）の下流であって、前記第１転送ステーション（６７）の上流に位置する第４供給装置（７５）により、前記物品（２０）を前記挿入物（２１）内に挿入して、前記パッケージ（１）の前記内容物（３）の形成を完了するように、前記第１ポケット（６２）内に供給するステップと、
前記挿入物（２１）を、前記対象物（１９）と前記物品（２０）と共に、前記第１ポケット（６２）から、前記第１転送ステーション（６７）において前記第２ポケット（６８）へ転送するステップを備えることを特徴とする包装方法。
【請求項２】
前記第１ブランク（３３）を、前記第１転送ステーション（６７）において前記第１供給装置（７１）により、前記第１ブランク（３３）が、前記パッケージ（１）の前記内容物（３）の周りで、Ｕ字形に折り畳まれて第２ポケット（６８）内に挿入されるように、前記第２ポケット（６８）に供給するステップを更に備えることを特徴とする請求項１に記載の包装方法。
【請求項３】
前記第１ポケット（６２）内部で前記第２ブランク（３９）を折り畳み、それにより前記挿入物（２１）が、上方に面している入口開口部を有するカップ形となるようにするステップを更に備えることを特徴とする請求項１または２に記載の包装方法。
【請求項４】
前記硬質対象物（１９）を前記第１ポケット（６２）内に供給する前記ステップは更に、
最初は、前記挿入物（２１）の縁部（１４）上に静止し且つ平行である前記挿入物（２１）の２つのタブを、前記挿入物（２１）の前記縁部（１４）に直交する位置内に上昇するステップと、
前記硬質対象物（１９）を前記挿入物（２１）の前記縁部（１４）上に置くステップと、
前記挿入物（２１）の前記タブ（２８）を前記対象物（１９）上に降下させるステップを備えることを特徴とする請求項１、２、または３に記載の包装方法。
【請求項５】
前記挿入物（２１）の各タブは、前記タブ（２８）が前記対象物（１９）上に降下されたときに、前記対象物（１９）の端部が挿入される、中央貫通凹部（２９）を有することを特徴とする請求項４に記載の包装方法。
【請求項６】
前記対象物（１９）を、把持部材（７４）により、前記挿入物（２１）の前記縁部（１４）上に置くステップと、
前記対象物（１９）を前記把持部材（７４）で、前記挿入物（２１）の前記タブ（２８）が前記対象物（１９）上に降下されるまで保持するステップを更に備えることを特徴とする請求項４または５に記載の包装方法。
【請求項７】
前記物品（２０）を前記第１ポケット（６２）内に供給するステップは更に、
前記物品（２０）を、前記第１ポケット（６２）と、上方で垂直方向に整列するように位置決めするステップと、
フォーク形のカウンタプッシャ（７７）を前記物品（２０）に向けて上昇し、それにより前記カウンタプッシャ（７７）が前記第１ポケット（６２）を通して移動し、前記対象物（１９）が前記フォークの２つのアームの間に位置するようにするステップと、
前記物品（２０）を、前記物品（２０）を下方に係合するプッシャ（７６）と、前記物品（２０）を上方に係合する前記カウンタプッシャ（７７）の間で把持するステップと、
前記物品（２０）を、前記プッシャ（７６）と前記カウンタプッシャ（７７）の同期した下方への移動により、前記第１ポケット（６２）内に収納されている前記挿入物（２１）に挿入するステップを備えることを特徴とする請求項１から６のいずれか１項に記載の包装方法。
【請求項８】
前記挿入物（２１）の縁部（１４）は、前記カウンタプッシャ（７７）が移動するときに通る中央第１貫通孔（１７）を有することを特徴とする請求項７に記載の包装方法。
【請求項９】
前記第１ポケット（６２）の底壁は、前記カウンタプッシャ（７７）移動するときに通る中央第２貫通孔を有することを特徴とする請求項７または８に記載の包装方法。
【請求項１０】
前記物品（２０）を、前記物品（２０）を前記カウンタプッシャ（７７）が到達するまで支持する、少なくとも１つの可動壁（７８）上で、前記第１ポケット（６２）の上方で垂直方向に整列して支持するステップと、
前記可動壁（７８）を側方向に移動して、前記物品（２０）を、下方の前記カウンタプッシャ（７７）上に設置するステップを更に備えることを特徴とする請求項７、８、または９に記載の包装方法。
【請求項１１】
前記物品（２０）を、第２転送ステーション（５８）において、第３包装コンベヤの第３ポケット（５５）内に供給するステップと、
前記物品（２０）を、前記第４供給装置（７５）により、前記第３ポケット（５５）から前記第１ポケット（６２）に転送するステップを更に備えることを特徴とする請求項１から１０のいずれか１項に記載の包装方法。
【請求項１２】
クーポン（５７）を、前記第２転送ステーション（５８）の上流に位置する供給ステーション（５６）において前記第３ポケット（５５）に供給するステップと、
前記物品（２０）を、前記クーポン（５７）と共に、前記第４供給装置（７５）により、前記第３ポケット（５５）から前記第１ポケット（６２）へ転送するステップを更に備えることを特徴とする請求項１１に記載の包装方法。
【請求項１３】
前記第３ポケット（５５）は、前記第４供給装置（７５）において、前記第１ポケット（６２）と垂直方向に整列されていることを特徴とする請求項１１または１２に記載の包装方法。
【請求項１４】
ヒンジ式蓋付きパッケージ（１）を製造する包装機（４６）であって、
前記パッケージ（１）の前記内容物（３）を受け取る第１ポケット（６２）を有する第１包装コンベヤ（６０）と、
第２ポケット（６８）を有する第２包装コンベヤ（６９）と、
前記パッケージ（１）の前記内容物（３）が、前記第１ポケット（６２）から前記第２ポケット（６８）に転送される転送ステーション（５９）と、
第１ブランク（３３）を前記第２ポケット（６８）に供給し、それにより、前記第１ブランク（３３）は、前記第２ポケット（６８）において、前記パッケージ（１）の周りで折り畳まれて、蓋（１０）付き容器（２）を形成する第１供給装置（７１）を備え、
前記包装機（４６）は、前記転送ステーション（５９）の上流に位置し、挿入物（２１）を形成する第２ブランク（３９）を、前記第１ポケット（６２）に供給する第２供給装置（６４）と、
前記第２供給装置（６４）の下流且つ前記転送ステーション（５９）の上流に位置し、硬質対象物（１９）を前記第１ポケット（６２）内に供給して、前記対象物（１９）を前記挿入物（２１）内に挿入し、前記硬質対象物（１９）を前記挿入物（２１）に結合する第３供給装置（６６）と、
前記第３供給装置（６６）の下流且つ前記転送ステーション（５９）の上流に位置し、少なくとも１つの物品（２０）を前記第１ポケット（６２）内に供給して、前記物品（２０）を前記挿入物（２１）内に挿入し、前記パッケージ（１）の前記内容物（３）の形成を完了する第４供給装置（７５）を備え、
前記挿入物（２１）は、前記対象物（１９）と前記物品（２０）と共に、前記転送ステーション（５９）において、前記第１ポケット（６２）から前記第２ポケット（６８）に転送されることを特徴とする包装機。
【発明の詳細な説明】
【技術分野】
【０００１】
本発明は、ヒンジ式蓋付きパッケージと、ヒンジ式蓋付きパッケージを製造する包装方法および包装機に関する。
【０００２】
下記の記述においては、簡潔さのために且つ完全に非制限的な例により、好ましくはライターとたばこの一群を含んでいるたばこのヒンジ式蓋付きパケット（硬質箱）に言及する。
【背景技術】
【０００３】
例えば、特許DE10200401374A1、US5908734A1、US4621649A1、DE3530808A1、US3069886A1、およびUS5908734に記載されているように、通常はライターである硬質対象物を含むたばこの硬質パケットが種々提案されている。
【０００４】
しかし、ライターを含む既知のたばこの硬質パケットは、標準の包装機で製造するには極端に複雑であり、特別に設計された、はるかに高価な機械(通常は、生産率は低い)を必要とするか、ライターを十分に保護することができないかのいずれかということになる。
【発明の概要】
【発明が解決しようとする課題】
【０００５】
本発明の目的は、安価且つ実現が容易なヒンジ式蓋付きパッケージと、ヒンジ式蓋付きパッケージを製造する包装方法および包装機を提供することである。
【課題を解決するための手段】
【０００６】
本発明によれば、付随する特許請求の範囲の各請求項に記載のヒンジ式蓋付きパッケージと、ヒンジ式蓋付きパッケージを製造する包装方法および包装機が提供される。
【図面の簡単な説明】
【０００７】
多数の本発明の非制限的な実施の形態を実施例により、付随する図面を参照して記載する。
【０００８】
【図１】本発明に係るたばこのヒンジ式蓋付きパケットの、閉鎖形態における透視前面図である。
【図２】閉鎖形態における図１のたばこのパケットの透視後面図である。
【図３】開放形態における図１のたばこのパケットの透視前面図である。
【図４】開放形態における図１のたばこのパケットの透視前面図であり、パケットの内部に含まれている対象物は取り除かれている。
【図５】開放形態における図１のたばこのパケットの平面図であり、パケットの内部に含まれている対象物は取り除かれている。
【図６】開放形態における図１のたばこのパケットの透視前面図であり、内容物と、内容物を支持する挿入物は取り除かれている。
【図７】図１のたばこのパケットの挿入物の透視上面図である。
【図８】図７の挿入物の透視底面図である。
【図９】図１のたばこパケットを形成するブランクの展開平面図である。
【図１０】図１のたばこのパケットの挿入物を形成するブランクの展開図である。
【図１１】図１０のブランクの部分的に折り畳まれた平面図である。
【図１２】図１０のブランクの代替の実施の形態の展開平面図である。
【図１３】図１０のブランクの更なる実施の形態の展開平面図である。
【図１４】図１のたばこのパケットを形成するブランクの展開平面図であり、挿入物が組み込まれている。
【図１５】部分的に折り畳まれている図１４のブランクの平面図である。
【図１６】部分的に折り畳まれている図１４のブランクの平面図である。
【図１７】図１４のブランクの代替の実施の形態の展開平面図である。
【図１８】部分的に折り畳まれている図１７のブランクの平面図である。
【図１９】部分的に折り畳まれている図１７のブランクの平面図である。
【図２０】図１４のブランクの更なる実施の形態の展開平面図である。
【図２１】部分的に折りたたまれている図２０のブランクの平面図である。
【図２２】部分的に折りたたまれている図２０のブランクの平面図である。
【図２３】図１のパケットを製造する包装機の一部の透視模式図であり、簡潔にするために部品は取り除いてある。
【図２４】図２３の包装機の動作の透視模式図である。
【図２５】対象物を、図２３の包装機の包装ホイールのポケット内に供給するための動作シーケンスの模式図である。
【図２６】対象物を、図２３の包装機の包装ホイールのポケット内に供給するための動作シーケンスの模式図である。
【図２７】対象物を、図２３の包装機の包装ホイールのポケット内に供給するための動作シーケンスの模式図である。
【図２８】対象物を、図２３の包装機の包装ホイールのポケット内に供給するための動作シーケンスの模式図である。
【図２９】たばこの一群を、図２３の包装機の包装ホイールのポケット内に供給するための動作シーケンスの模式図である。
【図３０】たばこの一群を、図２３の包装機の包装ホイールのポケット内に供給するための動作シーケンスの模式図である。
【図３１】たばこの一群を、図２３の包装機の包装ホイールのポケット内に供給するための動作シーケンスの模式図である。
【図３２】たばこの一群を、図２３の包装機の包装ホイールのポケット内に供給するための動作シーケンスの模式図である。
【図３３】たばこの一群を、図２３の包装機の包装ホイールのポケット内に供給するための動作シーケンスの模式図である。
【図３４】たばこの一群を、図２３の包装機の包装ホイールのポケット内に供給するための動作シーケンスの模式図である。
【発明を実施するための形態】
【０００９】
図１、２、および３における参照番号１は、全体としてのたばこ硬質ヒンジ式蓋付きパケットを表している。
【００１０】
図１のたばこのパケット１は、ボール紙または類似物から作られている硬質容器２を備え、内容物３（全体を図３に示す）を収納している。容器２は、カップ形の平行六面体形であり、底壁４と、底壁４に対向する開放上端５と、前壁６および対向し且つ平行な後壁７と、壁６と７の間に介在されている２つの平行な側壁８、９を備えている。容器２は一体化された蓋１０を有し、蓋１０は、閉鎖位置（図１と２）と開放位置（図３）の間で回転して、容器２の開放上端５をそれぞれの位置で閉鎖および開放し、容器２の後壁７の縁と上壁１１の縁の間で画定されているヒンジにより、容器２の後壁７にヒンジ止めされている上壁１１を備えている。閉鎖位置においては、蓋１０の上壁１１は、容器２の底壁４に対向し且つ平行である。蓋１０はまた前壁１２も備え、前壁１２は通常は、蓋１０の上壁１１に直交し、閉鎖位置においては、容器２の前壁６に重ねられる。
【００１１】
示されている実施の形態においては、容器２の壁４、６〜９、１１、および１２と、蓋１０の間に画定されている縦方向および横方向の縁は正方形であるが、代替の実施の形態においては、示されていないが、少なくともいくつかの縦方向および／または横方向の縁は、丸められているか、または斜めに切断されている。
【００１２】
好適な実施の形態においては、蓋１０は最初は引裂き線１３に沿って容器２に結合されており、引裂き線１３は蓋１０を開封するときに引き裂かれ、蓋１０を容器２から永久的に引き離す。引裂き線１３は蓋１０を、開封されるまで閉鎖位置においてしっかりと保持するように働き、また、たばこのパケット１が、不正にいたずらされていないことを保証する「保証シール」の役目も果たす。図１〜１３の実施の形態においては、引裂き線１３は、蓋１０の前壁１２の底部の縁に沿って延伸して、蓋１０の前壁１２を、下に横たわる容器２の前壁６に結合し、また、蓋１０の上壁１１の側部の縁に沿って延伸して、蓋１０の上壁１１を、容器２の側壁８と９に結合する。図１４〜２２の実施の形態においては、引裂き線１３は、蓋１０の前壁１２の底部の縁に沿って延伸するだけであり、蓋１０の前壁１２を、下に横たわる容器２の前壁６に結合する。
【００１３】
好適な実施の形態においては、底壁４に平行な縁部１４は、少なくとも３辺上で開放上端５を取囲み、開放上端５のサイズを減少し、閉鎖位置の蓋１０の上壁１１を支持する。図１〜１１の実施の形態においては、縁部１４は、容器２の前壁６の縁と、側壁８と９の縁に沿って延伸するが、容器２の後壁７の縁に沿っては延伸していない。しかし、図１２と１３の実施の形態においては、縁部１４は、容器２の後壁７の一部に沿っても延伸している。
【００１４】
縁部１４は好ましくはカバー１５（必ずしもそれである必要ではないが）を備え、カバー１５は最初は縁部１４内の開放上端５の全体を閉鎖しており、最初は引裂き線１６に沿って縁部１４の縁に結合され、蓋１０の上壁１１の内面に接着されており、それにより、蓋１０が開封されるときに引裂き線１６に沿って縁部１４から引き裂かれる。言い換えれば、たばこのパケット１が密封されるとき、カバー１５は４辺すべての上で縁部１４に結合され、蓋１０が開封されるときは、引裂き線１６に沿って４辺すべての上で縁部１４から引き裂かれる。引裂き線１６は、カバー１５の４辺すべての周りをシームレスに延伸することが好ましいが、Ｕ字形であっても、つまり、容器２の後壁７において中断していてもよい（この場合、カバー１５は最初から、容器２の後壁７において縁部１４から完全に切り離されている）。
【００１５】
好適な実施の形態においては、カバー１５は中央貫通孔１７を有しており、貫通孔１７は下記に記述するように、たばこのパケット１の製造において重要な役割を果たす。一実施の形態においては、蓋１０の上壁１１の内面は、貫通孔１７に位置し、貫通孔１７を通して視認可能な印刷物１８をカバー１５の中に有している。
【００１６】
たばこのパケット１の内容物３は、硬質の、平行六面体形の対象物１９（通常はライターであるが、必ずしもそれである必要はない）と、ラップで包まれたたばこの一群により、つまり、箔ラップのシートに包まれたたばこの一群により画定される平行六面体形の物品２０を備えている。図３において、対象物１９は最前部において明確に視認されるが、対象物１９の下にある物品２０は部分的にしか視認されない。
【００１７】
好適な実施の形態においては、たばこのパケット１は挿入物２１を備え、挿入物２１は縁部１４を備え、最初は容器２から分離しており、容器２の内部に接着されている。図５、７、および８に示すように、挿入物２１は、容器２の前壁６の内面に接着されている前壁２２と、容器２の後壁７の内面に接着されている後壁２３と、容器２の側壁８、９の内面に接着されている２つの側壁２４、２５を備えている。
【００１８】
挿入物２１は、側壁２４、２５に結合され、容器２の内部で突出して対象物１９を支持する２つの支持体２６を備えている。各支持体２６は、挿入物２１の側壁２４、２５の底部の縁に結合され、挿入物２１の側壁２４、２５上に折り畳まれ、接着されているタブ２７と、タブ２７に結合され、容器２の内部で突出して対象物１９を支持するタブ２８（つまり、容器２の内容物３の一部）を備えている。各タブ２８は、硬質対象物１９に係合され、Ｕ字形貫通切込み３０により画定されている中央貫通凹部２９と、折り目線３１であって、タブ２８中に中間折り目を形成し、Ｕ字形貫通切込み３０の先端に位置している折り目線３１を備えている。
【００１９】
好適な実施の形態においては、たばこのパケット１は、蓋１０が開封された後に（開封される前は、蓋１０は、蓋１０を開封するために引き裂かれる引裂き線１３により閉鎖位置にしっかり保持されている）、蓋１０を閉鎖位置に保つための保持システムを備えている。示されている実施の形態においては、蓋の保持システムは、（例として）容器２の前壁６に塗布される接着剤の２つのスポット３２を備えており、蓋１０の前壁１２の内面が、蓋１０が閉鎖位置のスポット３２に接着する。スポット３２は、非乾燥の、弱接着性接着材から製造されており、何度も使用された後でも接着性があり、それにより、蓋１０を繰り返し開閉可能にしている。
【００２０】
容器２と蓋１０は、図９に示されているように、単一のブランク３３を折り畳むことにより形成される。特に、ブランク３３は多数のパネルを備え、それらのパネルは可能な場合は、容器２と蓋１０の対応する壁については、添字を付けた同じ参照番号を使用して示される。
【００２１】
図９に示されているように、ブランク３３は、２本の縦方向折り目線３４と多数の横方向折り目線３５を有しており、折り目線３５は、縦方向折り目線３４の間に、容器２の側壁９の内側部分を形成するパネル９’と、容器２の底壁４を形成するパネル４’と、容器２の側壁８を形成するパネル８’と、蓋１０の上壁１１を形成するパネル１１’と、容器２の側壁９の外側部分を形成するパネル９”を画定している。パネル９’と９”は重ねられ、接着されて容器２の側壁９を形成する。
【００２２】
ブランク３３は、１本の縦方向折り目線３４に沿ってパネル４’に結合され、容器２の後壁７の内側部分を形成するパネル７’と、他の縦方向折り目線３４に沿ってパネル４’に結合されて容器２の前壁６を形成するパネル６’を備えている。パネル６’とパネル７’はそれぞれ２つのタブ３６を有しており、タブ３６は横方向折り目線３５に沿ってパネル６’、７’に接続され、パネル６’、７’に対して９０°折り畳まれ、パネル９’とパネル８’それぞれの内面に接着されている。
【００２３】
ブランク３３は、１本の縦方向折り目線３４に沿ってパネル１１’に接続され、容器２の後壁７の外側部分を形成するパネル７”と、他の縦方向折り目線３４に沿ってパネル１１’に接続され、蓋１０の前壁１２を形成するパネル１２’を備えている。パネル１２’は、容器２の前壁６を形成するパネル６’に接着され（そして容器２の前壁６の統合部を形成する）、蓋１０の前壁１２を形成するパネル１２’の残部に引裂き線１３に沿って結合されている２つの取外し可能部３７を備えている。２つの取外し可能部３７は、蓋１０を引張り上げてたばこのパケット１を開けるためのユーザーグリップタブ３８により完全に分離されている。
【００２４】
パネル１１’のいずれかの側においては、引裂き線１３は、対応する横方向折り目線３５と一致している。
【００２５】
挿入物２１は、図１０に示されているように、ブランク３９を折り畳むことにより形成される。特に、ブランク３９は多数のパネルを備え、それらのパネルは可能な場合は、挿入物２１の対応する壁については、添字を付けた同じ参照番号を使用して示される。
【００２６】
図１０に示されているように、ブランク３９は２本の縦方向折り目線４０と多数の横方向折り目線４１を有しており、折り目線４１は、縦方向折り目線４０の間で、側壁２４を形成するパネル２４’と、縁部１４を形成するパネル１４’と、側壁２５を形成するパネル２５’を画定している。パネル２４’、２５’はそれぞれ横方向折り目線４１に沿ってタブ２７に結合されており、その結果、別の横方向折り目線４１に沿ってタブ２８に結合されている。
【００２７】
図１１は、初期の折り畳み動作の後の図１０のブランク３９を示しており、初期の折り畳み動作は、たばこのパケット１を製造する包装機上で、またはブランク３９を包装機に供給する前に行うことができる（例えば、ブランク３９の製造により）。初期の折り畳み動作は、最初に永久固定接着剤をタブ２７とパネル２４’、２５’の間に塗布した後に、タブ２７を（タブ２８と一緒に）対応するパネル２４’２５’上に１８０度折り畳むことを備え、それにより、初期の折り畳み動作が完了すると、タブ２７は対応するパネル２４’、２５’上に重ねられ、接着される。
【００２８】
図１２は、図１０のブランク３９の変形を示しており、対象物１９がない内容物３用に設計されている（つまり、１つまたは２つ以上の物品２０を含むだけ、つまり、包装されたたばこの一群、またはそれ以上の数の群を含むだけ）。図１２の実施の形態においては、ブランク３９（従って、挿入物２１）は、タブ２８に切れ目３０を有しておらず、挿入物２１のタブ２８は、「弾性部材」としての役目を果たし、蓋１０が閉鎖位置のときに、容器２内部の内容物３を安定させ、蓋１０が開放位置のときに内容物３を引き出し易いようにするために、容器２の開放上端に向けて内容物３を押す。
【００２９】
図１３は、図１０のブランク３９の別の変形を示しており、対象物１９がない内容物３用に設計されている（つまり、１つまたは２つ以上の物品２０を含むだけ、つまり、包装されたたばこの一群、またはそれ以上の数の群を含むだけ）。図１３の実施の形態においては、ブランク３９（従って挿入物２１）はタブ２７も２８も有しておらず、従って、内容物３に対する支持を提供していない。
【００３０】
図１４は、ブランク３３の異なる実施の形態を示しており、ブランク３３はまたブランク３９も組み込んでいる、つまり容器２と蓋１０を形成するためのブランク３３はまた挿入物２１も形成する。
【００３１】
図１４におけるブランク３３は、縁部１４を形成し、横方向折り目線３５に沿ってパネル８’に結合され、パネル１１’上に重ねられるパネル１４’と、縦方向折り目線３４に沿ってパネル１４’に結合され、横方向折り目線３５に沿ってパネル１１’に結合され、パネル１４’と１１’の間に介在されるパネル４２を備えている。
【００３２】
図１４における完全に展開された形態から、ブランク３３は、図１６に示されている四角形に予め折り畳まれる（ブランク３３は、サイズと折り畳みに関しては図９におけるブランク３３と等価である）。ブランク３３を予め折り畳むことは、まず、パネル１１’をパネル４２に対して１８０度、横方向折り目線３５に沿って折り畳み、パネル１１’をパネル４２上に重ねること（図１５に示されているように）と、その後に、パネル４２を（重ねられたパネル１１’と一緒に）、パネル１４’に対して１８０度、縦方向折り目線３４に沿って折り畳み、パネル１４’をパネル１１’上に重ねること（パネル４２をパネル１４’と１１’の間に介在させて）を備える。永久固定接着剤を、パネル４２とパネル１４’および１１’の間に塗布し、それにより、パネル４２は一方の側でパネル１４’に接着され、他方の側でパネル１１’に接着される。上記の折り畳み動作は、たばこのパケット１を製造する包装機上で、またはブランク３３を包装機に供給する前に行うことができる（例えば、ブランク３３の製造により）。
【００３３】
好適な実施の形態においては、２本の平行且つ隣接する縦方向折り目線３４（言うまでもなく、わずかの距離だけしか離れていない）がパネル１１’と１２’の間に設けられて、この領域においてブランク３３をより柔軟にし、パネル１１’（つまり、蓋１０の上壁１１）が、ブランク３３が折り畳まれたときにブランク３３中に発生する応力の結果としてアーチ形をなすことを防止する。言い換えれば、パネル１１’と１２’の間の２本の縦方向折り目線３４は、蓋１０の上壁１１を完全に平坦に保ち、それにより開放したときにたばこのパケット１の見栄えがよくなるように働く。
【００３４】
好適な実施の形態においては、ブランク３３は、横方向折り目線３５に沿ってパネル９’に結合され、パネル１４’の底表面に接着されている付属部４３と、縦方向折り目線３４に沿ってパネル６’に結合され、これもまたパネル１４’の底表面に接着されている付属部４４を備えている。
【００３５】
図１７〜２２の変形においては、ブランク３３は付属部４４を有しておらず、パネル４５と置き換えられており、パネル４５は縦方向折り目線３４に沿ってパネル１４’に結合され、パネル６’とパネル１２’の間に介在され、一方の側でパネル６’に接着され、他方の側でパネル１２’に接着されている。
【００３６】
図１４におけるブランク３３は利点を有しており、第１の利点は、ブランク３９を組み込んでいることであり、それにより、たばこのパケット１を製造する包装機は、ブランク３３が供給されることのみが必要であり、そのため、包装材料の管理を簡素化し、第２の利点は、引裂き線１３が蓋１０の前壁１２に沿ってのみ延伸し、蓋１０の前壁１２の一部を容器２の前壁６（または、容器２の前壁６に接着されている取外し可能部）に結合し、それにより、容器２の側壁８と９の上縁と、蓋１０の上壁１１の側縁は引き裂かれずに残り、そのため、開放したときのたばこのパケット１の見栄えを改善するということである。
【００３７】
図２３と２４は、上述し、図１〜８において示した、たばこのパケット１を製造するためのたばこ包装機４６の一部を示しており、たばこ包装機４６は、図９のブランク３３または図１０のブランク３９を使用し、Ｇ.Ｄ. Societa per Azioniにより製造された包装機Ｘ３と同様に動作する。
【００３８】
たばこ包装機４６は、たばこの群を形成するための群形成ライン（図示せず）と、転送ホイール４７を備えており、転送ホイール４７は水平回転軸４８の周りを段階的に回転してたばこの群の受け取り、転送ステーション５０において包装ホイール４９に連続的に転送する。包装ホイール４９は、回転軸４８に平行な回転軸５１の周りを段階的に回転し、多数の周辺ポケット５２を備えており、各周辺ポケット５２は、柔軟な箔の包装材料（図示せず）の各シートと共に、たばこの一群を受け取る。そして包装ホイール４９は、包装材料の各シートを、それぞれのたばこの群の周りに折り畳み、たばこのパケット１の内容物３の物品２０を画定する包装されたたばこの群を形成する。
【００３９】
包装機４６はまた、転送ホイール５３を備えており、転送ホイール５３は、回転軸４８に交差する垂直回転軸５４の周りを段階的に回転し、多数の周辺ポケット５５を備えており、周辺ポケット５５は、回転軸５４の周りで段階的に供給されて、それぞれがクーポン５７（図２４に示されている）を受け取るクーポン供給ステーション５６を通して連続的に移動する。包装機械４６はまた、物品２０が各ポケット５５内に、および前もって供給されているクーポン５７上に挿入される物品転送ステーション５８と、各物品２２がポケット５５から排出され、後続する包装ホイール６０に垂直方向に転送される転送ステーション５９を備えている。クーポン供給ステーション５６は随意的である、つまり、クーポン５７がたばこのパケット１の内部に挿入されることになっているときにだけ必要とされるということに注意することは重要である。言うまでもないが、クーポン供給ステーション５６が設けられると、各物品２０はクーポン５７上に供給され、クーポン５７はたばこのパケット１の形成を通して物品２０に追従する。
【００４０】
包装ホイール６０は、回転軸５４に平行な回転軸６１の周りを段階的に回転し、デザインにおいては転送ホイール５３と同一であり、多数の周辺ポケット６２を備えている。転送ホイール５３上のポケット５５と包装ホイール６０上のポケット６２両者において、各四角形の平行六面体形の物品２０は平坦に位置する、つまり、面積の小さい方の側面が外を向いており、その縦方向の軸（たばこの軸に平行）は回転軸５４と６１と交差して、転送ホイール５３と包装ホイール６０の周辺に接している。包装ホイール６０と転送ホイール５３は転送ステーション５９において重なり、物品２０は、転送ホイール５３から包装ホイール６０に、回転軸５４と６１に平行な方向に、垂直に転送される。より具体的には、転送ホイール５３は包装ホイール６０に重なり、各物品２０は下方に転送され、転送ホイール５３上のポケット５５の中の底部開口部を通して排出され、包装ホイール６０上のポケット６２の中の上部開口部を通して搬入される（言うまでもないが、ポケット５５は、ポケット６２と垂直方向に整列されている）。
【００４１】
転送ステーション５９の上流の供給ステーション６３においては、供給装置６４がブランク３９を包装ホイール６０上のポケット６２内に挿入して挿入物２１を形成し、供給ステーション６３と転送ステーション５９の間（つまり、転送ステーションの上流）の供給ステーション６５においては、供給装置６６が対象物１９を包装ホイール６０上のポケット６２内に、および前もって供給されている挿入物２１上に挿入する。転送ステーション５９においては、物品２０は包装ホイール６０上のポケット６２内に、および前もって供給されている挿入物２１と対象物２０上に挿入され、これにより、たばこのパケット１の内容物３の形成が完了する。供給ステーション６３においては、ブランク３９は、図１１に示されているように、既に部分的に折り畳まれ、つまり、永久固定接着材をタブ２７とパネル２４’、２５’の間にまず塗布した後に、タブ２７が（タブ２８と共に）、対応するパネル２４’と２５’上に１８０度折り畳まれている状態で、包装ホイール６０上のポケット６２内に挿入されることに注意することは重要である。
【００４２】
転送ステーション６７においては、各内容物３は挿入物２１と共に、包装ホイール６０上のポケット６２から、包装ホイール６９上のポケット６８に転送され、包装ホイール６９は、回転軸４８に平行な水平回転軸７０の周りを段階的に回転して、各内容物３とそれぞれの挿入物２１を、供給装置７１により転送ステーション６７に供給されたそれぞれの硬質ブランク３３と共に受け取り、それぞれの内容物３と挿入物２１の周りで各ブランクを折り畳むことによりたばこのパケット１を形成する。図１４〜２２のブランク３３を使用するときは、図１６、１９および２２に示されているように、ブランク３３は、既に部分的に折り畳まれた状態で供給ステーション６７において供給されるということに注意することは重要である。
【００４３】
転送ステーション７２においては、たばこのパケット１は、包装ホイール６９から更に転送ホイール（図示せず）に連続的に供給され、この図示しない転送ホイールからたばこのパケット１は、乾燥領域（図示せず）に供給されて包装機４６の生産品を形成し、包装機４６はたばこのパケット１を、後続するセロハン（登録商標）加工機（図示せず）に供給し、セロハン（登録商標）加工機は、それぞれのたばこのパケット１を透明なプラスチックオーバーラップで包装する。
【００４４】
供給ステーション６３においては、供給装置６４は、挿入物２１を形成するブランク３９を包装ホイール６０上のポケット６２内に供給する。ブランク３９がポケット６２内に挿入されると、ブラック３９はポケット６２の内部で折り畳まれて、カップ形の挿入物２１が、挿入物２の入口開口部が上を向いた状態で形成される（つまり、転送ステーション５９において物品２０が挿入物２１内に挿入される転送ホイール５３に面している）。そして、供給ステーション６５における供給装置６６は、対象物１９をポケット内に、従って、挿入物２１内に挿入する。
【００４５】
図２５に示されているように、ポケット６２が供給ステーション６５に到達するときは、挿入物２１のタブ２８は縁部１４上に静止して位置している。図２６に示されているように、ポケット６２が供給ステーション６５において停止するとすぐに、供給装置６６の２つの側部吸引把持部材７３は挿入物２１のタブ２８に係合して、タブ２８を、縁部１４上に静止し且つ縁部１４に平行な初期位置から、縁部１４に直交する上昇された位置に９０度回転する。図２７に示されているように、挿入物２１のタブ２８が上昇すると、対象物１９は、中央吸引把持部材７４により、挿入物２１の縁部１４上に置かれる。中央吸引把持部材７４は、対象物が挿入物２１の縁部１４上に置かれた後は、対象物１９との接触を維持し、対象物１９を定位置に保持する。一方、把持部材７３は挿入物２１のタブ２８を対象物１９上まで９０度下方に回転し、これにより対象物１９は図２８に示されているように、タブ２８における中央凹部２９の内部に挿入される。最後に、把持部材７４は対象物１９を解放して、ポケット６２が供給ステーション６５から転送ステーション５９に移動するのを可能にする。
【００４６】
転送ステーション５９においては、転送ホイール５３上のポケット５５は、下方にある包装ホイール６０上のポケット６２と垂直方向において整列されている。物品２０は、転送ホイール５３上のポケット５５から包装ホイール６０上のポケット６２に、供給装置７５により転送され、供給装置７５は、転送ステーション５９上方のプッシャ７６と、転送ステーション５９下方のカウンタプッシャ７７を備えている。図２９に示されているように、転送ステーション５９においては、転送ホイール５３上のポケット５５内部の物品２０は、可動壁７８により下方で支持されている。つまり、ポケット５５が転送ステーション５９に到達するときは、物品２０は、２つの可動壁７８上に静止している。図３０に示されているように、ポケット５５と６２が転送ステーション５９に到達すると、カウンタプッシャ７７は可動壁７８の直下の位置まで上方に移動し、プッシャ７６はポケット５５内に下方に移動し、物品２０の上面上まで移動する。この時点で、図３１に示されているように、可動壁７８は分離されて、物品２０はポケット５５の底から、可動壁７８直下に待ち構えているカウンタプッシャ７７上に落ちる。図３１に示されているように、物品２０が下方のカウンタプッシャ７７上に静止すると、プッシャ７６はわずかに下方に移動して、カウンタプッシャ７７と共に物品２０を把持する。図３２に示されているように、物品２０がプッシャ７６とカウンタプッシャ７７の間に把持されると、プッシャ７６とカウンタプッシャ７７は一緒に下方に移動して、物品２０を下方のポケット６２内に、従って、挿入物２１内に挿入する。図３３に示されているように、物品２０が正しくポケット６２内に挿入されると、プッシャ７６は上方に移動して戻り、カウンタプッシャ７７は下方に移動して戻り、それぞれの元の位置に戻る。そして最後に、プッシャ７６がその元の位置に戻ると、可動壁７８は共にそれぞれの元の位置に戻されて、図３４に示されているように、次のポケット５５に対して転送サイクルを繰り返す。
【００４７】
カウンタプッシャ７７はフォーク形、つまりＵ形状（平行で、間隔を置いた２つのアーム）であり、それにより、カウンタプッシャ７７が、包装ホイール６０上のポケット６２を通して上方に移動して物品２０と係合するときに、フォークの２つのアームの間に位置している対象物１９との干渉を回避する。包装ホイール６０上のポケット６２を通して移動するためには、カウンタプッシャ７７は、ポケット６２内部に位置している挿入物２１の縁部１４を通してもまた移動しなければならないということに注意することは重要である。これは、カウンタプッシャ７７が移動するときに通過する、縁部１４における貫通孔１７により可能になり、貫通孔１７は、カウンタプッシャ７７を包装ホイール６０上のポケット６２を通して上方に移動して物品２０と係合することを可能にするために重要である。言うまでもないが、包装ホイール６０上のポケット６２もまた、縁部１４における貫通孔１７と整列している貫通孔を有していなければならず、その貫通孔を通して、カウンタプッシャ７７を移動する。
【００４８】
転送ステーション６７においては、挿入物２１において囲まれている内容物３（つまり、対象物１９と物品２０）は、包装ホイール６０上のポケット６２から、包装ホイール６９上のポケット６８に、ブランク３３と共に転送される。この段階においては、ブランク３３は、挿入物２１における内容物３の周りでＵ字形に折り畳まれてポケット６８内に挿入され、包装ホイール６９上のポケット６８内部では、挿入物２１において内容物３の周りで折り畳まれて蓋１０付き容器２を形成し、それにより、たばこのパケット１が完成する。
【００４９】
たばこのパケット１の内容物３が、１つまたは２つ以上物品２０（つまり、１つまたは２つ以上のばたこの包装群）含むだけときは、包装機４６に対して要求される変更は小規模であり、対象物１９を供給する供給装置６６は、言うまでもないが、作動不可にしなければならない。供給ステーション６３において供給されるブランク３９のタイプは、変更しなければならない（つまり、図１０におけるブランク３９と置き換えられた図１２または図１３のブランク３９）。そして物品２０はサイズを変更するか、数を増やさなければならない（通常は、１つの物品２０のみが対象物１９と共に挿入され、対象物１９は物品２０と同じ厚さである。対象物１９が含まれないときは、２つの重ねられた物品２０が挿入される）。
【００５０】
言うまでもないが、たばこのパケット１の内容物３は、例として記載したものと異なってもよい。ライターではなくて、対象物１９は任意の硬質対象物（シガレットホルダーのような対象物）であってよい。そして、たばこの包装された一群の代わりに、物品２０は、任意の他のタイプの物品（シガレットホルダーフィルターの一群のような物品）であってよい。
【００５１】
記載したたばこのパケット１は多数の利点を有しており、硬質対象物１９を収納することができるという利点や、同時に、ほぼ標準の包装機４６（つまり、新しい形式に適合するための少しの小さな変更を除いて、標準包装機と同一）上で製造できるという利点がある。特に、硬質対処物１９は、たばこのパケット１の内部にしっかりと格納され、繰り返し取外したり、容易に交換が可能である。
【００５２】
この多数の利点のため、記載したたばこのパケット１のデザインは、たばこのカートンの製造にも使用でき、たばこのカートンは記載したたばこのパケット１とほぼ同一であり、異なる点は、内容物３がたばこのパケットの一群により規定されるということだけである。
【００５３】
記載した包装機４６もまた、多数の利点を有しており、標準包装機とほぼ同一であるという利点や、記載したたばこのパケット１を効率よく製造できるという利点がある。
【図１】
0005869304.tif 000002
【図２】
0005869304.tif 000003
【図３】
0005869304.tif 000004
【図４】
0005869304.tif 000005
【図５】
0005869304.tif 000006
【図６】
0005869304.tif 000007
【図７】
0005869304.tif 000008
【図８】
0005869304.tif 000009
【図９】
0005869304.tif 000010
【図１０】
0005869304.tif 000011
【図１１】
0005869304.tif 000012
【図１２】
0005869304.tif 000013
【図１３】
0005869304.tif 000014
【図１４】
0005869304.tif 000015
【図１５】
0005869304.tif 000016
【図１６】
0005869304.tif 000017
【図１７】
0005869304.tif 000018
【図１８】
0005869304.tif 000019
【図１９】
0005869304.tif 000020
【図２０】
0005869304.tif 000021
【図２１】
0005869304.tif 000022
【図２２】
0005869304.tif 000023
【図２３】
0005869304.tif 000024
【図２４】
0005869304.tif 000025
【図２５】
0005869304.tif 000026
【図２６】
0005869304.tif 000027
【図２７】
0005869304.tif 000028
【図２８】
0005869304.tif 000029
【図２９】
0005869304.tif 000030
【図３０】
0005869304.tif 000031
【図３１】
0005869304.tif 000032
【図３２】
0005869304.tif 000033
【図３３】
0005869304.tif 000034
【図３４】
0005869304.tif 000035